(57)【特許請求の範囲】
【請求項１】
上端の外周縁部に突条または溝を有する飲料用缶の上端に着脱可能に連結される包装用紙容器であって、底面に前記飲料用缶の上端部を通過させる開口が形成されるとともに、内部に該内部空間を上下２つの空間に仕切る仕切り板が設けられ、該仕切り板の上側の空間が物を入れる収納部、該仕切り板の下側の空間が前記飲料用缶の上端部と連結される連結部とし、前記開口の周辺部には、前記飲料用缶の突条または溝と係脱可能に係合する係合手段が設けられ、前記係合手段が、前記飲料用缶の突状または溝と係脱可能に係合する突出部分の長い係合片と飲料用缶の側面を保持するための突出部分の短い係合片がそれぞれ対峙する位置に少なくとも１対設けられたことを特徴とする包装用紙容器。
【請求項２】
前記突出部分の長い係合片は前記開口の中心に対し対峙するように９０度ずつずらして４箇所設けられ、前記突出部分の短い係合片が前記突出部分の長い係合片の間に、均等に４箇所設けられていることを特徴とする請求項１記載の包装用紙容器。
【発明の詳細な説明】
【技術分野】
【０００１】
本発明は、仕切板にて上側空間と下側空間に仕切り、上側空間には景品、内容物にあう食品を入れた袋などを入れる収納部と、下側空間には、飲料用缶の上端と連結する連結部を設けた包装用紙容器に関する。
【背景技術】
【０００２】
従来では、飲料用缶の上端部に連結され景品を収納する容器は、プラスチック容器が使用され、内容物を見せるものには透明性があり、かつ見せる必要がないものには、不透明性を出すために印刷、マット処理などが施され使用されている。プラスチックの材質としては、ポリプロピレンなどのポリオレフィン、ポリエステルなどのシートが使われている。キャンペーンなどで、表示告示が必要な時には、ラベル貼りを行い対応しているが、プラスチックシートの材料代の他にラベル代、貼り代などコストアップになっている．また使用されるプラスチックは、廃棄面から紙製と比べ環境への負荷がかかる。一方紙容器で上下２つの空間に仕切った容器では、仕切り板を別工程にて作成し、組立てられるのが多い。
また、飲料用缶と安定した保持されるものが少ないのが現状である。
【先行技術文献】
【特許文献】
【０００３】
【特許文献１】特開１９９９−５９６６１号公報
【発明の概要】
【発明が解決しようとする課題】
【０００４】
しかしながら、飲料用缶には容量の異なる複数の種類の缶があり、それにより外形状、サイズが異なっているため、そのような場合、従来の紙容器では、缶によっては取り付け時にきつすぎたり、また逆にゆるすぎたりして安定した保持ができないことがあった。本発明は、従来問題を解決し、飲料用缶の上端部に連結され、上下２つの空間を持ち、飲料用缶と安定した保持を可能とする紙容器を提供することである。
【課題を解決するための手段】
【０００５】
請求項１に記載の発明は、上端の外周縁部に突条または溝を有する飲料用缶の上端に着脱可能に連結される包装用紙容器であって、底面に前記飲料用缶の上端部を通過させる開口が形成されるとともに、内部に該内部空間を上下２つの空間に仕切る仕切り板が設けられ、該仕切り板の上側の空間が物を入れる収納部、該仕切り板の下側の空間が前記飲料用缶の上端部と連結される連結部とし、前記開口の周辺部には、前記飲料用缶の突条または溝と係脱可能に係合する係合手段が設けられ、前記係合手段が、前記飲料用缶の突状または溝と係脱可能に係合する突出部分の長い係合片と飲料用缶の側面を保持するための突出部分の短い係合片がそれぞれ対峙する位置に少なくとも１対設けられたことを特徴とする包装用紙容器である。
【０００６】
請求項２に記載の発明は、前記突出部分の長い係合片は前記開口の中心に対し対峙するように９０度ずつずらして４箇所設けられ、前記突出部分の短い係合片が前記突出部分の長い係合片の間に、均等に４箇所設けられていることを特徴とする請求項１記載の包装用紙容器である。
【発明の効果】
【０００７】
本発明の紙容器は、仕切板にて上側空間と下側空間に仕切り、上側空間には、景品、職食品入れた袋を挿入し、かつ下側空間には、飲料用缶の上端部の突条または溝に簡単に係脱可能に係合させる連結空間にしたものである。係脱可能に係合させる手段として、該上端部の突条または溝に係合する係合片と該飲料缶を保持すための係合片を有することで飲
料缶に重量面にかかわらず安定して嵌合保持できる。
【図面の簡単な説明】
【０００８】
【図１】本発明の包装用紙容器の一例を示す展開図である。
【図２】全面板を開けた状態の一例を示す包装用紙容器の斜視図である。
【図３】本発明の包装用紙容器の一例の飲料用缶に連結した状態を示す斜視図である。
【発明を実施するための形態】
【０００９】
以下、本発明の包装用紙容器について図をもって説明する。
【００１０】
図１は、本発明の包装用紙容器１を展開したものである。底面９の左右に折り目１２、１６を介して前面板１１、後面板１５が連結され、上縁には折り目２０を介して側面板１９を、下縁には折り目２６を介して側面板２５が連結されている。側面板１９、２５には折り目２３、２４、２７、２８を介し、フラップ２１、２２、２９，３０がそれぞれ連結されている。
【００１１】
前面板１１には折り目１３を介し、後面板１５には折り目１７を介し、それぞれ蓋板３１と連接できるようにフラップ１４、１８を設け、景品などを出し入れできるようにしている。
【００１２】
側面板２５には折り目３２を介し、蓋板３１と連結し、また蓋板３１の下縁には折り目３４を介し、連結板３３を、また連結板３３の下縁には折り目３６を介し、仕切り板３５を連結する。また、仕切り板３５の下縁には折り目３８を介し、貼着板３７を連結する。
【００１３】
貼着板３７を側面板２５の裏面に、連結板３３を側面板１９の裏面にホットメルト剤、糊などを用いて、貼着する。続いて前面板１１、後面板１５、フラップ１４．１８、２１、２２、２９．３０を折り曲げて相互に係合させることにより、包装用紙容器１が組み立てられる。
【００１４】
包装用紙容器１には、底面９に飲料用缶の上端部３を挿入させる開口１０が形成されている。この開口１０の直径は飲料用缶の上端部の外径よりも僅かに大きく設計されている。飲料用缶の外形状は各メーカーにより様々であり、開口径は外形状に応じて便宜変更すればよい。
【００１５】
この開口１０の周縁部には飲料用缶の上端部の外周縁部にある突条６と係脱可能に係合する突出部分の長さが異なる係合片７，８が設けられている。この突出部分の長い係合片７は開口１０の中心に対し対峙するように９０度づつずらして４箇所に設けられている。しかし飲料用缶の外形状は各メーカーにより様々であり、かつアルコール飲料、清涼飲料、果汁飲料などは容量３５０ｍｌであるのに対し、コーヒー、野菜ジュースなどは容量１９０ｍｌがあり、外形状、サイズも異なることから、更に係合片を係合片７より突出部分を短くした係合片８を係合片７の間に、均等に４箇所設け、合計８箇所設けられている、アルコール飲料、清涼飲料、果汁飲料、コーヒー、紅茶、野菜飲料など様々な缶の外形状、サイズに係らず対応可能にしたものである。
【００１６】
また、図２，３に示すように、この包装用紙容器１の仕切り板３５の上側の空間４に入れる内容物には、景品、食品を入れた袋など多種多様である。また重量面でも同様である。そのためには、係合片を係合片７で４箇所でもよいが、更に突出部分を短い係合片８を加えることで、飲料用缶の側面保持を可能とし、缶との嵌合保持を確実に行えるようにしたものである。
【００１７】
包装用紙容器１の内部には、内部空間を上下２つの空間４，５に仕切ると同時に飲料用缶の上端部と当接する仕切り板３５が設けられている。この仕切り板３５の上側の空間４は、景品、食品入れた包装袋などの収容部とされる一方、下側の空間５は、飲料用缶の上端部と連結される容器連結部になる。この仕切り板３５の位置は、図３で示すように、飲料用缶の上端部が当接したときに係合片７の先端が飲料用缶の突条６と係合するような位置が好ましい。係合片８は、飲料用缶の保持をするために使用される。
【００１８】
更に、この包装用紙容器１に用いられる紙としては、保形性、内容物保護性を有することが必要で、段ボール、板紙などを使用することができる。収納する内容物によっては、紙に耐水性、耐湿性、耐油性などが必要とされる。
【００１９】
これに印刷表示するには、オフセット印刷、グラビア印刷、フレキソ印刷などが可能で、
印刷後折り目の罫線入れ、抜き、むしり、糊加工後組み立て、包装用紙容器１ができる。一ライン工程にて可能である。
【００２０】
また、むしりをしない場合もある。むしり部の裏面に当たりはずれの表示することにより、容器開封時での景品効果を上げることができる。即ちむしり部の裏面に当たりはずれの表示を印刷、むしりをせず、そのまま付帯させて飲料用缶２の挿入時に、むしりをすることになる。
【００２１】
飲料用缶２とは、ビール、酎ハイなどのアルコール飲料、果汁飲料、清涼飲料、トマトなどの野菜飲料などで、内容量として３５０ｍｌ、１９０ｍｌ用缶等に対応可能である。飲料用缶２の上端部３に突条または溝を有していれば、缶サイズ、内容量には限定されない。
【００２２】
仕切り板３５によって形成された上側の空間４には、挿入されるものとしては、おもちゃ、菓子袋など景品類、アルコール飲料用の肴類の包装袋など多種に考えられる。
【符号の説明】
【００２３】
１    包装用紙容器
２    飲料用缶
３    飲料用缶の上端部
４    上側の空間
５    下側の空間
６    飲料用缶の突条または溝
７    係合片（大）
８    係合片（小）
９    底面
１０  開口
１１  前面板
１２  底面と前面板との折り目
１３  底面とフラップとの折り目
１４  フラップ
１５  後面板
１６  底面と後面板との折り目
１７  後面板とフラップとの折り目
１８  フラップ
１９  側面
２０  底面と側面１９との折り目
２１  フラップ
２２  フラップ
２３  側面１９とフラップ２１との折り目
２４  側面１９とフラップ２２との折り目  
２５  側面
２６  底面と側面２５との折り目
２７  側面２５とフラップ２９との折り目
２８  側面２５とフラップ３０との折り目
２９、３０  フラップ
３１  蓋板
３２  側面２５と蓋板との折り目
３３  連結板
３４  蓋板と連結板との折り目
３５  仕切板
３６  連結板と仕切板との折り目
３７  貼着板
３８  仕切板と貼着板との折り目
３９、４０、４１、４２  切り込み
【図１】
0005531558.tif 000002
【図２】
0005531558.tif 000003
【図３】
0005531558.tif 000004